(57)【要約】【課題】  本物の餌に近似し、釣果の向上を期待できる擬似餌を提供する。【解決手段】  本発明の擬似餌１は、可撓性を有する材料から形成された揺動体５Ｒ，５Ｌが、擬似餌本体２の胴部下方部から前方斜め下がりに突設されている。前記揺動体５Ｒ，５Ｌは、前記擬似餌本体２から突設された棒状部５１Ｒ，５１Ｌと、前記棒状部５１Ｒ，５１Ｌの先端に設けられた分岐部５２Ｒ，５２Ｌと、を有し、その分岐部５２Ｒ，５２Ｌは、２つの突部を有して二股に分かれていると共に、全体として扁平状に形成されている。【選択図】  図３
2015070858.tif 000002
【特許請求の範囲】
【請求項１】
可撓性を有する材料から形成された揺動体が、擬似餌本体の胴部から突設されている、擬似餌。
【請求項２】
前記揺動体が、前記擬似餌本体から突設された棒状部を有し、
前記揺動体が、前記擬似餌本体の胴部下方部から前方斜め下がりに延びている、請求項１に記載の擬似餌。
【請求項３】
前記揺動体が、前記棒状部の先端に設けられ且つ複数に分岐した分岐部をさらに有し、
前記分岐部が、扁平状とされている、請求項２に記載の擬似餌。
【請求項４】
前記分岐部が、２つの突部を有して二股に分岐されており、
一方の突部が、他方の突部よりも外側に位置し、
前記外側に位置する一方の突部の突出量が、前記他方の突部の突出量よりも大きい、請求項３に記載の擬似餌。
【請求項５】
前記揺動体が、左右一対設けられ、
前記一対の揺動体が、先端に向かうに従って離反するようにそれぞれ外側に延び、且つ各分岐部の扁平な面が略平行となるように配置されている請求項３または４に記載の擬似餌。
【発明の詳細な説明】
【技術分野】
【０００１】
本発明は、魚釣りに使用される擬似餌に関し、特に、イカ釣りに好適な擬似餌に関する。
【背景技術】
【０００２】
従来、魚釣り用の擬似餌として、様々な形状の擬似餌が使用されている。
例えば、エビの外形を真似た形状の擬似餌本体と、その擬似餌本体の後端に設けられた掛け針と、を有する擬似餌が知られている。
擬似餌の対象魚の１つであるイカは、エビを好むので、エビの外形を真似た形状の擬似本体を有する擬似餌は、イカ釣り用として好適である。
【０００３】
従来の擬似餌は、擬似餌本体の形状や色彩など（擬似餌本体のデザイン）を本物の餌に真似ている。例えば、市場では、本物の餌のように極めて再現性の良い擬似餌本体を有する擬似餌も上市されている。
しかしながら、擬似餌本体のデザインを本物の餌に真似るにも限界がある。
一方で、釣り人が多い反面で、対象魚の絶対数は減少しているため、全体として、釣果は悪くなってきている。
このようなことから、擬似餌本体のデザイン以外の手段で、対象魚が本物の餌のように誤認するような擬似餌が求められている。
【発明の概要】
【発明が解決しようとする課題】
【０００４】
本発明の目的は、対象魚に本物の餌のように誤認させ、釣果の向上を期待できる擬似餌を提供することである。
【課題を解決するための手段】
【０００５】
本発明の擬似餌は、可撓性を有する材料から形成された揺動体が擬似餌本体の胴部から突設されている。
【０００６】
本発明の好ましい擬似餌は、前記揺動体が、前記擬似餌本体から突設された棒状部を有し、前記揺動体が、前記擬似餌本体の胴部下方部から前方斜め下がりに延びている。
本発明の好ましい擬似餌は、前記揺動体が、前記棒状部の先端に設けられ且つ複数に分岐した分岐部をさらに有し、前記分岐部が、扁平状とされている。
本発明の好ましい擬似餌は、前記分岐部が、２つの突部を有して二股に分岐されており、一方の突部が、他方の突部よりも外側に位置し、前記外側に位置する一方の突部の突出量が、前記他方の突部の突出量よりも大きい。
本発明の好ましい擬似餌は、前記揺動体が、左右一対設けられ、前記一対の揺動体が、先端に向かうに従って離反するようにそれぞれ外側に延び、且つ各分岐部の扁平な面が略平行となるように配置されている。
【発明の効果】
【０００７】
本発明の擬似餌は、水中において、揺動体が揺れ動くので、擬似餌本体のデザインと揺動体の相乗効果により、対象魚に本物の餌のように誤認させることができる。このため、本発明の擬似餌を使用すれば、釣果の向上を期待できる。
【図面の簡単な説明】
【０００８】
【図１】本発明の擬似餌を示す右側面図。
【図２】同左側面図。
【図３】同擬似餌を腹部側から見た底面図。
【図４】図３のＩＶ部拡大図。
【図５】同擬似餌に使用されている揺動体の集合部材を示す右側面図。
【図６】同集合部材の底面図。
【図７】同擬似餌の使用状態を示す参考側面図。
【図８】同擬似餌の揺動体の動きを示す参考底面図。
【発明を実施するための形態】
【０００９】
図１乃至図３において、擬似餌１は、擬似餌本体２と、釣り針３と、揺動体５Ｒ，５Ｌと、を有する。
前記揺動体５Ｒ，５Ｌは、可撓性を有する材料から形成されており、擬似餌本体２の胴部から突設されている。
なお、擬似餌本体２は、概念的に、頭部、胴部及び尾部の３つの領域に区分けできる。前記頭部は、擬似餌本体２の前方部であり、尾部は、擬似餌本体２の後方部であり、胴部は、擬似餌本体２の頭部及び尾部を除いた部分である。
また、本発明の擬似餌１において、前方は、擬似餌１の使用時（遊泳時）に進行方向側を指し、後方は、前記進行方向と反対側を指す。
【００１０】
前記擬似餌本体２は、本物の餌を真似た形状に形成されている。図示例の擬似餌本体２は、エビを真似た形状に形成されている。
必要に応じて、擬似餌本体２の外面には、エビを真似た色彩が付加されたり、或いは、所望の薄い織布又は網目織布が貼り付けられる。
擬似餌本体２の頭部には、ライン（釣り糸）を連結するための環状のライン連結部６が突設されている。
擬似餌本体２の尾部には、傘式の釣り針３が固着されている。なお、このような固定式の釣り針３に代えて、擬似餌本体２の尾部に環状の連結部を設け、且つこの環状の連結部にフック状の釣り針（例えばトレブルフックなど）を取り付けてもよい（図示せず）。
また、釣り針は、尾部に設けられる場合に限られず、釣り針の取付位置は、適宜変更できる。
【００１１】
さらに、擬似餌本体２の胴部の前方寄りには、おもり７が取り付けられている。
通常、擬似餌本体２自体は、水（海水又は淡水）に浮くが、前記おもり７や釣り針３などが設けられていることにより、擬似餌１は水中に沈み得る。
前記擬似餌本体２の材質は、特に限定されず、例えば、ＡＢＳ樹脂などの硬質合成樹脂、ウレタンなどの軟質合成樹脂、発泡ウレタンなどの発泡合成樹脂、木、及び２以上の素材を組み合わせた複合材料などが挙げられる。
擬似餌本体２は、中空状であってもよいし、中実状であってもよい。なお、中実状の擬似餌本体２は、その内部に空洞部を有しないものである。
【００１２】
前記擬似餌本体２の腹部には、揺動体５Ｒ，５Ｌを取り付けるための凹状の取付部２１が形成されている。
なお、擬似餌本体２の腹部は、擬似餌本体２の胴部の中の一部分であって、擬似餌本体２を側面から見た状態で（図１参照）、擬似餌本体２の胴部の下方部である。
【００１３】
前記揺動体５Ｒ，５Ｌは、可撓性を有する材料から形成されている。
可撓性を有する材料とは、外力が加わらない状態では所定の形状を維持でき、外力が加わると、その形状が変形し得る材料を意味する。
前記可撓性を有する材料としては、特に限定されないが、例えば、軟質合成樹脂（エラストマー系樹脂、シリコン系樹脂、アクリル系樹脂、又はウレタン系樹脂など）やゴムなどの高分子材料が挙げられる。これらの高分子材料は、可撓性及び弾力性を有する。
揺動体５Ｒ，５Ｌは、例えば、前記高分子材料を所定形状に成形することにより得られる。
揺動体５Ｒ，５Ｌは、無色透明、有色透明又は不透明の何れでもよいが、有色透明又は不透明であることが好ましい。無色透明であっても、光の屈折の関係で、揺動体５Ｒ，５Ｌの動きを対象魚にアピールできるが、有色透明又は不透明である方がより効果的である。
【００１４】
前記揺動体５Ｒ，５Ｌの形状は、特に限定されず、適宜な形状に設定できる。
水中において擬似餌１を遊泳させた際、揺動体５Ｒ，５Ｌが動き易くなることから、前記揺動体５Ｒ，５Ｌは、棒状に形成された部分（棒状部５１Ｒ，５１Ｌ）を有することが好ましい。この場合、揺動体５Ｒ，５Ｌの全体が棒状に形成されていてもよいし、或いは、揺動体５Ｒ，５Ｌの一部が棒状に形成されていてもよいが、揺動体５Ｒ，５Ｌの一部が棒状に形成されていることが好ましく、さらに、揺動体５Ｒ，５Ｌの基部から中途部まで（擬似餌本体２に接する部分から所定の範囲まで）が棒状に形成されていることがより好ましい。
【００１５】
水中において、水の抵抗を受けて動き易くなることから、前記揺動体５Ｒ，５Ｌは、扁平状に形成された部分（扁平部）を有することが好ましい。
また、揺動体５Ｒ，５Ｌの先端は、複数に分岐された部分を有する分岐部５２Ｒ，５２Ｌを有することが好ましい。先端部が複数の部分に分岐されていることにより、広い範囲で水の抵抗を受け易くなる上、その複数に分岐した部分が個々に揺動するので、対象魚へのアピール効果を高めることができる。
【００１６】
揺動体５Ｒ，５Ｌは、前記擬似餌本体２の胴部の何れの箇所に設けられていてもよいが、好ましくは、腹部に設けられる。
揺動体５Ｒ，５Ｌの突出方向は、特に限定されず、揺動体５Ｒ，５Ｌは、擬似餌本体２の胴部の外面に対して略直交する方向に延びていてもよいし、或いは、擬似餌本体２の胴部の外面に対して前方又は後方に傾斜して延びていてもよい。
水の抵抗によって動き易くなることから、前記揺動体５Ｒ，５Ｌは、擬似餌本体２の腹部（胴部の下方部）から前方斜め下がりに延びていることが好ましい。
【００１７】
また、１つの擬似餌本体２に対して、１つの揺動体５Ｒのみが設けられていてもよいが、揺動体の動きによって擬似餌１を目立ち易くするために、揺動体５Ｒ，５Ｌは、図示したように、複数設けられていることが好ましい。複数の揺動体５Ｒ，５Ｌは、擬似餌本体２に規則的に配置されていてもよいし或いは不規則に配置されていてもよい。
【００１８】
図１乃至図３に、本発明の擬似餌１の好ましい態様が示されている。
この擬似餌１は、擬似餌本体２の腹部に複数の揺動体５Ｒ，５Ｌが前後方向に規則的に配置されている。
各揺動体５Ｒ，５Ｌは、いずれも、基部から中途部までの間において棒状に形成され、その中途部から先において扁平且つ分岐状に形成されている。
【００１９】
具体的には、前記各揺動体５Ｒ，５Ｌは、それぞれ棒状部５１Ｒ，５１Ｌと、その棒状部５１Ｒ，５１Ｌの先端に設けられた分岐部５２Ｒ，５２Ｌと、からなる。
棒状部５１Ｒ，５１Ｌは、断面円状、断面楕円状、断面四角状、断面三角状などの所定の断面形状を有する棒状に延びた部分である。図示例では、棒状部５１Ｒ，５１Ｌは、断面楕円状に形成されている。
なお、前記棒状部５１Ｒ，５１Ｌと分岐部５２Ｒ，５２Ｌは、一体的に形成されているが、別々に成形して両者を接着剤などで接着してもよい。
揺動体５Ｒ，５Ｌを構成する棒状部５１Ｒ，５１Ｌの一方の端部は、擬似餌本体２に固着され、棒状部５１Ｒ，５１Ｌの他方の端部には、前記分岐部５２Ｒ，５２Ｌが設けられている。
【００２０】
分岐部５２Ｒ，５２Ｌは、複数の部分に分岐された部分であり、扁平状に形成されている。例えば、分岐部５２Ｒ，５２Ｌは、二股に分岐されている。
この分岐部５２Ｒ，５２Ｌは、図４の拡大図に示すように、棒状部５１Ｒ，５１Ｌに連結された、扁平状の幅広部５２３Ｒ，５２３Ｌと、この幅広部５２３Ｒ，５２３Ｌの先端から延設された２つの突部５２１Ｒ，５２２Ｒ，５２１Ｌ，５２２Ｌ（第１突部５２１Ｒ，５２１Ｌ及び第２突部５２２Ｒ，５２２Ｌ）と、を有する。この第１突部５２１Ｒ，５２１Ｌ及び第２突部５２２Ｒ，５２２Ｌも、幅広部５２３Ｒ，５２３Ｌと同様に扁平状とされており、従って、分岐部５２Ｒ，５２Ｌの全体が扁平状に形成されている。
第１突部５２１Ｒ，５２１Ｌは、第２突部５２２Ｒ，５２２Ｌよりも外側に位置している。また、第１突部５２１Ｒ，５２１Ｌの突出量は、第２突部５２２Ｒ，５２２Ｌの突出量と同じ又はそれよりも小さい又は大きくてもよいが、揺動体５Ｒ，５Ｌの動きが大きくなることから、第１突部５２１Ｒ，５２１Ｌの突出量が第２突部５２２Ｒ，５２２Ｌよりも大きいことが好ましい。
【００２１】
前記複数の揺動体５Ｒ，５Ｌは、左右一対を一組みとして、それが前後方向に複数組み（例えば、４組み）設けられている。
各揺動体５Ｒ，５Ｌは、いずれも前方斜め下がりに延びている。揺動体５Ｒ，５Ｌの延出角度は、２０度〜６０度が好ましい。ただし、前記揺動体５Ｒ，５Ｌの延出角度は、揺動体５Ｒ，５Ｌの延びる方向に引いた仮想直線と、擬似餌１の進行方向に引いた仮想直線との成す角度を意味する。
【００２２】
左右一対の揺動体５Ｒ，５Ｌは、各棒状部５１Ｒ，５１Ｌの端部がそれぞれ擬似餌本体２の腹部の中央部に固着されている。つまり、一対の揺動体５Ｒ，５Ｌの、擬似餌本体２の腹部に対する固着位置は、実質的に同じである。左右の揺動体５Ｒ，５Ｌは、互いに先端に向かうに従って離反するように外側に延びている。従って、左右の揺動体５Ｒ，５Ｌは、底面側から見ると、図３に示すように、略Ｖ字状に延びている。好ましくは、左右一対の揺動体５Ｒ，５Ｌは、擬似餌本体２の進行方向に引いた仮想直線を基準とする、線対称形とされている。
左右の揺動体５Ｒ，５Ｌの開き角度は、２０度〜４５度が好ましい。ただし、前記左右の揺動体５Ｒ，５Ｌの開き角度は、左右の揺動体５Ｒ，５Ｌの延びる方向に引いた仮想直線が成す角度を意味する。
このような左右一対の揺動体５Ｒ，５Ｌを一組みとして、前後に所定間隔を開けて４組み擬似餌本体２の腹部に固着されている。
【００２３】
各組みの揺動体５Ｒ，５Ｌにおいて、各分岐部５２Ｒ，５２Ｌは、その扁平な面がいずれに向いていてもよい。もっとも、水の抵抗を受け易く、且つ左右一対の揺動体５Ｒ，５Ｌが同様な動きをすることから、図示したように、左右一対の揺動体５Ｒ，５Ｌの各分岐部５２Ｒ，５２Ｌは、その平坦な面が互いに略平行となるように配置されていることが好ましい。
【００２４】
なお、前記複数の揺動体５Ｒ，５Ｌを１つずつ擬似餌本体２に固着することは煩雑であるため、図示例の擬似餌１は、擬似餌本体２に、複数の揺動体５Ｒ，５Ｌを有する集合部材を取り付けることによって構成されている。
集合部材９は、図５及び図６に示すように、前後に延びる棒状の支持部９１と、この支持部９１から前後に所定間隔を開けて固着された複数組み（例えば４組み）の揺動体５Ｒ，５Ｌと、からなる。
集合部材９は、上記高分子（可撓性を有する材料）を用いて一体的に成形されている。
この支持部９１を擬似餌本体２の凹状の取付部２１に嵌め入れて固着することにより、図１乃至図３に示す本発明の擬似餌１が構成されている。
なお、支持部９１が可撓性を有する材料で形成されている場合には、それを凹状の取付部２１に嵌め入れることにより、支持部９１が取付部２１に強く密着するので、通常ｎ使用状態でそれが脱落することはない。けれども、必要に応じて、接着剤を用いて、支持部９１を取付部２１に強固に固着してもよい。
【００２５】
上記擬似餌１は、以下のようにして使用される。
擬似餌１のライン連結部６にラインを結び、擬似餌１を水中に投入する。
図７に示すように、水中に投入されたルアーを引き寄せると、揺動体５Ｒ，５Ｌのうち主として分岐部５２Ｒ，５２Ｌが水の抵抗を受け、図８に示すように、可撓性の各揺動体５Ｒ，５Ｌが左右に揺れ動く。特に、各揺動体５Ｒ，５Ｌの分岐部５２Ｒ，５２Ｌが棒状部５１Ｒ，５１Ｌに比して大きく揺れ動く。図８において、各揺動体５Ｒ，５Ｌの動きを二点鎖線及び矢印で示す。
なお、揺動体５Ｒ，５Ｌの棒状部５１Ｒ，５１Ｌの一方の端部が擬似餌本体２に連結されているので、自由端部である分岐部５２Ｒ，５２Ｌは、正確には、円弧状に揺れ動く（つまり、揺動体５Ｒ，５Ｌの揺動は、左右の動きだけでなく前後の動きも含んでいる）。
【００２６】
一対の揺動体５Ｒ，５Ｌが先端に向かうに従って離反するようにそれぞれ外側に延び、且つ各分岐部５２Ｒ，５２Ｌの扁平な面が略平行となるように配置されている擬似餌１は、揺動体５Ｒ，５Ｌが水を捉えて動き易い上、左右に大きく揺動する。さらに、第１突部５２１Ｒ，５２１Ｌの突出量が第２突部５２２Ｒ，５２２Ｌよりも大きい擬似餌１は、揺動体５Ｒ，５Ｌの先端部において左右の動きが微妙に変化する。
【００２７】
本発明の擬似餌１によれば、揺動体５Ｒ，５Ｌが揺れ動くので、擬似餌本体２のデザインと揺動体５Ｒ，５Ｌの相乗効果により、対象魚に本物の餌のように誤認させることができる。
本発明の擬似餌１を使用すれば、釣果の向上を期待できる。
【符号の説明】
【００２８】
１…擬似餌、２…擬似餌本体、３…釣り針、５Ｒ，５Ｌ…揺動体、５１Ｒ，５１Ｌ…棒状部、５２Ｒ，５２Ｌ…分岐部、５２１Ｒ，５２１Ｌ…第１突部、５２２Ｒ，５２２Ｌ…第２突部
【図１】
2015070858.tif 000003
【図２】
2015070858.tif 000004
【図３】
2015070858.tif 000005
【図４】
2015070858.tif 000006
【図５】
2015070858.tif 000007
【図６】
2015070858.tif 000008
【図７】
2015070858.tif 000009
【図８】
2015070858.tif 000010